(57)【特許請求の範囲】
【請求項１】
第１のマルチバンドアンテナと、第２のマルチバンドアンテナと、無線機送受信部と、切替制御回路とを含む通信機能を有する端末であって、
前記無線機送受信部は、主搬送波ポート及び副搬送波ポートを含み、
前記切替制御回路は、前記主搬送波ポート、前記副搬送波ポート、第１のマルチバンドアンテナ、第２のマルチバンドアンテナにそれぞれ電気的に接続され、
前記切替制御回路は、前記第１のマルチバンドアンテナの信号品質が予め設定された品質条件を満たす場合に、前記主搬送波ポートを前記第１のマルチバンドアンテナに接続し、且つ前記副搬送波ポートを前記第２のマルチバンドアンテナに接続するように構成され、
前記切替制御回路は、さらに、
前記第１のマルチバンドアンテナの信号品質が予め設定された品質条件を満たさなく、且つ前記第２のマルチバンドアンテナの信号品質が予め設定された品質条件を満たす場合に、前記主搬送波ポートを前記第２のマルチバンドアンテナに接続し、且つ前記副搬送波ポートを前記第１のマルチバンドアンテナに接続し、
前記第１のマルチバンドアンテナの信号品質が予め設定された品質条件を満たさなく、且つ前記第２のマルチバンドアンテナの信号品質も予め設定された品質条件を満たさない場合に、前記主搬送波ポートを前記第１のマルチバンドアンテナに接続し、且つ前記副搬送波ポートを前記第２のマルチバンドアンテナに接続するように構成され、
前記切替制御回路は、コントローラと、第１の電気制御選択スイッチと、第２の電気制御選択スイッチとを含み、
前記第１の電気制御選択スイッチの制御信号端と前記第２の電気制御選択スイッチの制御信号端とが、それぞれ前記コントローラに電気的に接続され、
前記コントローラが、前記無線機送受信部に電気的に接続され、
前記第１の電気制御選択スイッチが、前記主搬送波ポート、前記第１のマルチバンドアンテナ、前記第２のマルチバンドアンテナにそれぞれ電気的に接続され、
前記第２の電気制御選択スイッチが、前記副搬送波ポート、前記第１のマルチバンドアンテナ、前記第２のマルチバンドアンテナにそれぞれ電気的に接続され、
前記第２の電気制御選択スイッチと前記第１のマルチバンドアンテナとの接続線にインピーダンス調整回路が設置され、前記インピーダンス調整回路において複数の並列のインピーダンス調整分岐回路が含まれ、
前記インピーダンス調整回路の制御信号端が前記コントローラに電気的に接続され、
前記コントローラは、さらに、
前記第１のマルチバンドアンテナの信号品質が予め設定された品質条件を満たさない場合に、前記無線機送受信部により検出された、現在使用されている副搬送波の共振周波数オフセット量を取得し、
予め格納された共振周波数オフセット量とインピーダンス調整分岐回路との対応関係によって、前記現在使用されている副搬送波の共振周波数オフセット量が対応する第１のインピーダンス調整分岐回路を決定し、
前記インピーダンス調整回路を制御して前記第１のインピーダンス調整分岐回路を導通させ、且つ前記第１のインピーダンス調整分岐回路以外の他のインピーダンス調整分岐回路を遮断するように構成されることを特徴とする、端末。
【請求項２】
前記第１のマルチバンドアンテナと前記第２のマルチバンドアンテナとは、それぞれ前記端末における２つの異なる端部に設置されることを特徴とする、請求項１に記載の端末。
【請求項３】
前記第１のマルチバンドアンテナと前記第２のマルチバンドアンテナとは、超広帯域アンテナであることを特徴とする、請求項１に記載の端末。
【請求項４】
前記コントローラは、
前記無線機送受信部により検出された前記第１のマルチバンドアンテナの信号品質を取得し、
前記第１のマルチバンドアンテナの信号品質が予め設定された品質条件を満たす場合に、前記第１の電気制御選択スイッチを制御して前記主搬送波ポートを前記第１のマルチバンドアンテナに接続し、且つ前記第２の電気制御選択スイッチを制御して前記副搬送波ポートを前記第２のマルチバンドアンテナに接続し、前記第１のマルチバンドアンテナの信号品質が予め設定された品質条件を満たさない場合に、前記第１の電気制御選択スイッチを制御して前記主搬送波ポートを前記第２のマルチバンドアンテナに接続し、且つ前記第２の電気制御選択スイッチを制御して前記副搬送波ポートを前記第１のマルチバンドアンテナに接続するように構成されることを特徴とする、請求項１に記載の端末。
【請求項５】
前記コントローラはベースバンドコントローラであることを特徴とする、請求項１に記載の端末。
【請求項６】
前記信号品質が予め設定された品質条件を満たす場合は、信号強度が予め設定された閾値に到達する場合を含み、
前記信号品質が予め設定された品質条件を満たさない場合は、信号強度が予め設定された閾値に到達しない場合を含むことを特徴とする、請求項１に記載の端末。
【発明の詳細な説明】
【技術分野】
【０００１】
本願は、出願番号が２０１５１０８９２１５４．０であり、出願日が２０１５年１２月０７日である中国特許出願に基づき優先権を主張し、当該中国特許出願の内容の全てを本願に援用する。
【０００２】
本願は通信技術分野に関し、特に通信機能を有する端末に関する。
【背景技術】
【０００３】
通信技術の進歩に伴い、携帯電話等の端末の機能が多くなってきて、端末が現代人の必需品になってきている。端末は、友達や家族とのチャット、ネットワークショッピング、映像プログラムの視聴等に用いられ、ここで、端末に設置されているアンテナが欠かせない。端末のアンテナは、通常に端末の内部（例えば、端末内の底部）に設置され、端末でのデータ伝送のために用いられる。
【０００４】
ユーザが端末のアンテナが設置されている部分を不用意に手で把持した場合、アンテナの抵抗値が変化することになり、従って、アンテナの共振周波数にずれが生じて、データ伝送品質に影響を与える。
【発明の概要】
【発明が解決しようとする課題】
【０００５】
関連技術に存在している問題を克服するために、本発明の実施例の第１の態様によれば、通信機能を有する端末が提供される。その技術案は以下の通りである。
【課題を解決するための手段】
【０００６】
前記端末は、第１のマルチバンドアンテナと、第２のマルチバンドアンテナと、無線機送受信部と、切替制御回路とを含み、ここで、
前記無線機送受信部は、主搬送波ポートと副搬送波ポートとを含み、
前記切替制御回路は、前記主搬送波ポート、前記副搬送波ポート、第１のマルチバンドアンテナ、第２のマルチバンドアンテナにそれぞれ電気的に接続され、
前記切替制御回路は、前記第１のマルチバンドアンテナの信号品質が予め設定された品質条件を満たす場合に、前記主搬送波ポートを前記第１のマルチバンドアンテナに接続し、且つ前記副搬送波ポートを前記第２のマルチバンドアンテナに接続し、前記第１のマルチバンドアンテナの信号品質が予め設定された品質条件を満たさない場合に、前記主搬送波ポートを前記第２のマルチバンドアンテナに接続し、且つ前記副搬送波ポートを前記第１のマルチバンドアンテナに接続するように構成される。
【０００７】
または、前記第１のマルチバンドアンテナと、前記第２のマルチバンドアンテナは、それぞれ前記端末における２つの異なる端部に設置される。
【０００８】
このようにして、第１のマルチバンドアンテナの第２のマルチバンドアンテナへの互いの影響を防止することができる。
【０００９】
または、前記第１のマルチバンドアンテナと前記第２のマルチバンドアンテナは超広帯域アンテナである。
【００１０】
このようにして、第１のマルチバンドアンテナと第２のマルチバンドアンテナとが、複数の帯域をサポートすることができるようになる。
【００１１】
または、前記切替制御回路は、コントローラと、第１の電気制御選択スイッチと、第２の電気制御選択スイッチとを含み、ここで、
前記第１の電気制御選択スイッチの制御信号端と前記第２の電気制御選択スイッチの制御信号端は、それぞれ前記コントローラに電気的に接続され、
前記コントローラは、前記無線機送受信部に電気的に接続され、
前記第１の電気制御選択スイッチは、前記主搬送波ポート、前記第１のマルチバンドアンテナ、前記第２のマルチバンドアンテナにそれぞれ電気的に接続され、
前記第２の電気制御選択スイッチは、前記副搬送波ポート、前記第１のマルチバンドアンテナ、前記第２のマルチバンドアンテナに電気的に接続される。
【００１２】
このようにして、主搬送波ポートと副搬送波ポートに接続される第１のマルチバンドアンテナと第２のマルチバンドアンテナとの切替を実現することができる。
【００１３】
または、前記コントローラは、
前記無線機送受信部により検出された前記第１のマルチバンドアンテナの信号品質を取得し、
前記第１のマルチバンドアンテナの信号品質が予め設定された品質条件を満たす場合に、前記第１の電気制御選択スイッチを制御して前記主搬送波ポートを前記第１のマルチバンドアンテナに接続し、且つ前記第２の電気制御選択スイッチを制御して前記副搬送波ポートを前記第２のマルチバンドアンテナに接続し、前記第１のマルチバンドアンテナの信号品質が予め設定された品質条件を満たさない場合に、前記第１の電気制御選択スイッチを制御して前記主搬送波ポートを前記第２のマルチバンドアンテナに接続し、且つ前記第２の電気制御選択スイッチを制御して前記副搬送波ポートを前記第１のマルチバンドアンテナに接続するように構成される。
【００１４】
このようにして、端末での通信品質を確保することができる。
【００１５】
または、前記コントローラは、ベースバンドコントローラである。
【００１６】
または、前記第２の電気制御選択スイッチと前記第１のマルチバンドアンテナとの接続線にインピーダンス調整回路が設置され、前記インピーダンス調整回路には複数の並列インピーダンス調整分岐回路が含まれる。
【００１７】
前記インピーダンス調整回路の制御信号端は、前記ベースバンドコントローラに電気的に接続される。
【００１８】
または、前記コントローラは、さらに、
前記第１のマルチバンドアンテナの信号品質が予め設定された品質条件を満たさない場合に 、前記無線機送受信部により検出された現在使用されている副搬送波の共振周波数オフセット量を取得し、
予め格納された共振周波数オフセット量とインピーダンス調整分岐回路との対応関係によって、前記現在使用されている副搬送波の共振周波数オフセット量が対応する第１のインピーダンス調整分岐回路を決定し、
前記インピーダンス調整回路を制御して前記第１のインピーダンス調整分岐回路を導通させ、且つ前記第１のインピーダンス調整分岐回路以外の他のインピーダンス調整分岐回路を遮断するように構成される。
【００１９】
このようにして、端末でのデータの伝送効率を向上させることができる。
【００２０】
または、前記切替制御回路は、
前記第１のマルチバンドアンテナの信号品質が予め設定された品質条件を満たさなく、且つ前記第２のマルチバンドアンテナの信号品質が予め設定された品質条件を満たす場合に、前記主搬送波ポートを前記第２のマルチバンドアンテナに接続し、且つ前記副搬送波ポートを前記第１のマルチバンドアンテナに接続するように構成される。
【００２１】
前記切替制御回路は、さらに、
前記第１のマルチバンドアンテナの信号品質が予め設定された品質条件を満たさなく、且つ前記第２のマルチバンドアンテナの信号品質も予め設定された品質条件を満たさない場合に、前記主搬送波ポートを前記第１のマルチバンドアンテナに接続し、且つ前記副搬送波ポートを前記第２のマルチバンドアンテナに接続するように構成される。
【００２２】
このようにして、端末での通信品質を確保することができる。
【００２３】
または、前記信号品質が予め設定された品質条件を満たす場合は、信号強度が予め設定された閾値に到達する場合を含み、
前記信号品質が予め設定された品質条件を満たさない場合は、信号強度が予め設定された閾値に到達しない場合を含む。
【発明の効果】
【００２４】
本発明の実施例により提供される技術案は、以下の有益な効果を有する。
【００２５】
本発明の実施例において、端末は、第１のマルチバンドアンテナと、第２のマルチバンドアンテナと、無線機送受信部と、切替制御回路とを含み、ここで、無線機送受信部は主搬送波ポートと副搬送波ポートとを含み、切替制御回路は主搬送波ポート、副搬送波ポート、第１のマルチバンドアンテナ、第２のマルチバンドアンテナにそれぞれ電気的に接続され、切替制御回路は、第１のマルチバンドアンテナの信号品質が予め設定された品質条件を満たす場合に、主搬送波ポートを第１のマルチバンドアンテナに接続し、且つ副搬送波ポートを第２のマルチバンドアンテナに接続し、第１のマルチバンドアンテナの信号品質が予め設定された品質条件を満たさない場合に、主搬送波ポートを第２のマルチバンドアンテナに接続し、且つ副搬送波ポートを第１のマルチバンドアンテナに接続するように構成される。このようにして、第１のマルチバンドアンテナの信号品質が良い場合に、第１のマルチバンドアンテナを主搬送波アンテナとし、第１のマルチバンドアンテナの信号品質が悪い場合に、端末は、第２のマルチバンドアンテナを主搬送波アンテナとして通信を行うことができ、これにより端末でのデータ伝送品質が受ける影響を低減することができる。
【００２６】
なお、前記一般的な記載及び後述の詳細な記載は、単なる例示的で解釈的な記載であり、本発明を限定しない。
【図面の簡単な説明】
【００２７】
以下の図面は、明細書に組み入れて本明細書の一部を構成し、本発明に該当する実施例を例示するとともに、明細書とともに本発明の原理を解釈する。
【００２８】
【図１】例示的な一実施例に係る通信機能を有する端末の模式図である。
【図２】例示的な一実施例に係る通信機能を有する端末の模式図である。
【図３】例示的な一実施例に係る通信機能を有する端末の模式図である。
【符号の説明】
【００２９】
１…第１のマルチバンドアンテナ、２…第２のマルチバンドアンテナ、３…無線機送受信部、４…切替制御回路、３１…主搬送波ポート、３２…副搬送波ポート、４１…コントローラ、４２…第１の電気制御選択スイッチ、４３…第２の電気制御選択スイッチ、４４…インピーダンス調整回路、４２１…制御信号端、４３１…制御信号端、４４１…インピーダンス調整分岐回路、４４２…制御信号端
【００３０】
上述の図面により、本発明の明確的な実施例を示し、以下、より詳しく説明する。これらの図面及び説明は、本発明の思想の範囲を何等限定するものではなく、特定の実施例を参考することにより当業者に本発明の概念を説明するためのものである。
【発明を実施するための形態】
【００３１】
本発明の目的、技術案、及び利点をより明確にするために、以下、図面を参照しながら、本発明についてより詳細に説明する。
【００３２】
本発明の例示的な一実施例は通信機能を有する端末を提供し、図１に示すように、（局部の詳しい構造を示すために、端末全体を図示しない）、端末は、第１のマルチバンドアンテナ１と、第２のマルチバンドアンテナ２と、無線機送受信部３と、切替制御回路４とを含み、ここで、無線機送受信部３は主搬送波ポート３１と副搬送波ポート３２とを含み、切替制御回路４は主搬送波ポート３１、副搬送波ポート３２、第１のマルチバンドアンテナ１、第２のマルチバンドアンテナ２に電気的に接続され、切替制御回路４は、第１のマルチバンドアンテナ１の信号品質が予め設定された品質条件を満たす場合に、主搬送波ポート３１を第１のマルチバンドアンテナ１に接続し、且つ副搬送波ポート３２を第２のマルチバンドアンテナ２に接続し、第１のマルチバンドアンテナ１の信号品質が予め設定された品質条件を満たさない場合に、主搬送波ポート３１を第２のマルチバンドアンテナ２に接続し、且つ副搬送波ポート３２を第１のマルチバンドアンテナ１に接続するように構成される。
【００３３】
実施において、端末は、第１のマルチバンドアンテナ１と、第２のマルチバンドアンテナ２と、無線機送受信部３と切替制御回路４とを含むことができる。第１のマルチバンドアンテナ１と第２のマルチバンドアンテナ２とは、信号を送受信することに用いることができる。第１のマルチバンドアンテナ１と第２のマルチバンドアンテナ２とは、複数の使用帯域をサポートすることができ、選択可能な主搬送波帯域及び副搬送波帯域を全て含むことができ、且つサポートされる使用帯域は同一であり得る。無線機送受信部３は、主搬送波ポート３１及び副搬送波ポート３２を含むことができる。切替制御回路４は、主搬送波ポート３１、副搬送波ポート３２、第１のマルチバンドアンテナ１、第２のマルチバンドアンテナ２にそれぞれ電気的に接続することができる。
【００３４】
技術者は、端末を設置する時、第１のマルチバンドアンテナ１の予め設定された品質条件（例えば、信号強度閾値等）を設置することができ、且つ端末に格納し、第１のマルチバンドアンテナ１の信号品質が予め設定された品質条件を満たす場合に、第１のマルチバンドアンテナ１は、正常に通信することができる。
【００３５】
切替制御回路４は、第１のマルチバンドアンテナ１の信号品質を取得した場合、予め格納された、予め設定された品質条件を取得することができ、その後、第１のマルチバンドアンテナ１の信号品質と予め設定された品質条件とを比較し、第１のマルチバンドアンテナ１の信号品質が予め設定された品質条件を満たす場合に、第１のマルチバンドアンテナ１を主搬送波ポート３１に接続し、且つ第２のマルチバンドアンテナ２を副搬送波ポート３２に接続することができ、第１のマルチバンドアンテナ１の信号品質が予め設定された品質条件を満たさない場合に（例えば、ユーザが端末の第１のマルチバンドアンテナ１が設置されている部分を手で把持して、第１のマルチバンドアンテナ１の共振周波数にずれが生じることになるような場合）、主搬送波ポート３１を第２のマルチバンドアンテナ２に接続し、且つ副搬送波ポート３２を第１のマルチバンドアンテナ１に接続し、このようにして、第１のマルチバンドアンテナ１の信号品質が悪い場合に、第２のマルチバンドアンテナ２を通信に用いることができ、これにより、端末での通信品質を確保することができる。
【００３６】
または、信号品質が予め設定された品質条件を満たす場合は、信号強度が予め設定された閾値に到達する場合を含む。信号品質が予め設定された品質条件を満たさない場合は、信号強度が予め設定された閾値に到達しない場合を含む。
【００３７】
実施において、信号品質が予め設定された品質条件を満たす場合は、信号強度が予め設定された閾値に到達する場合であり得、第１のマルチバンドアンテナ１の信号強度が予め設定された閾値に到達する場合に、第１のマルチバンドアンテナ１は、信号を正常に送受信することができる。信号品質が予め設定された品質条件を満たさない場合は、信号強度が予め設定された閾値に到達しなく、即ち、信号強度が予め設定された閾値よりも低い場合であり得、第１のマルチバンドアンテナ１の信号強度が予め設定された閾値に到達しない場合に、第１のマルチバンドアンテナ１は、信号を正常に送受信することができない。
【００３８】
または、図１に示すように、第１のマルチバンドアンテナ１と第２のマルチバンドアンテナ２とは、それぞれ端末における２つの異なる端部に設置される。
【００３９】
実施において、第１のマルチバンドアンテナ１を、端末の２つの異なる端部（例えば、端末の上端部と下端部）に設置することが可能であり、例えば、第１のマルチバンドアンテナ１を端末の底部に設置し、第２のマルチバンドアンテナ２を端末の頂部に設置することが可能である。このようにして、第１のマルチバンドアンテナ１と第２のマルチバンドアンテナ２は、それぞれ端末の２つの端部に設置され、両者間の距離が相対的に遠くて、互いの干渉が発生しにくい。
【００４０】
または、第１のマルチバンドアンテナ１と第２のマルチバンドアンテナ２とは超広帯域アンテナである。
【００４１】
実施において、第１のマルチバンドアンテナ１と第２のマルチバンドアンテナ２とは、超広帯域アンテナであり得る。第１のマルチバンドアンテナ１と第２のマルチバンドアンテナ２とは、複数の使用帯域をサポートすることができ、選択可能な主搬送波帯域及び副搬送波帯域を全て含むことが可能であり、且つサポートされる使用帯域が同一であり得、このようにして、第１のマルチバンドアンテナ１と第２のマルチバンドアンテナ２とは、複数の使用帯域をサポートすることができ、アンテナの数が低減されるようになる。
【００４２】
または、図２に示すように、切替制御回路４は、コントローラ４１と、第１の電気制御選択スイッチ４２と、第２の電気制御選択スイッチ４３とを含み、ここで、第１の電気制御選択スイッチ４２の制御信号端４２１と第２の電気制御選択スイッチ４３の制御信号端４３１とが、それぞれコントローラ４１に電気的に接続され、コントローラ４１が無線機送受信部３に電気的に接続され、第１の電気制御選択スイッチ４２が、主搬送波ポート３１、第１のマルチバンドアンテナ１、第２のマルチバンドアンテナ２にそれぞれ電気的に接続され、第２の電気制御選択スイッチ４３が、副搬送波ポート３２、第１のマルチバンドアンテナ１、第２のマルチバンドアンテナ２にそれぞれ電気的に接続される。
【００４３】
実施において、切替制御回路４は、コントローラ４１と、第１の電気制御選択スイッチ４２と、第２の電気制御選択スイッチ４３とを含むことが可能である。第１の電気制御選択スイッチ４２と第２の電気制御選択スイッチ４３とには、制御信号端４２１と制御信号端４３１をそれぞれ設置することができ、第１の電気制御選択スイッチ４２の制御信号端４２１と第２の電気制御選択スイッチ４３の制御信号端４３１とが、それぞれコントローラ４１に電気的に接続することができ、コントローラ４１が、無線機送受信部３に電気的に接続することができ、第１の電気制御選択スイッチ４２が、主搬送波ポート３１、第１のマルチバンドアンテナ１、第２のマルチバンドアンテナ２にそれぞれ電気的に接続することができ、第１の電気制御選択スイッチ４２が、主搬送波ポート３１を第１のマルチバンドアンテナ１、第２のマルチバンドアンテナ２にそれぞれ接続することを実現することができ、第２の電気制御選択スイッチ４３が、副搬送波ポート３２、第１のマルチバンドアンテナ１、第２のマルチバンドアンテナ２にそれぞれ電気的に接続することができ、第２の電気制御選択スイッチ４３が、副搬送波ポート３２を第１のマルチバンドアンテナ１、第２のマルチバンドアンテナ２に電気的に接続することができる。
【００４４】
または、コントローラ４１は、無線機送受信部３により検出された第１のマルチバンドアンテナ１の信号品質を取得することと、第１のマルチバンドアンテナ１の信号品質が予め設定された品質条件を満たす場合に、第１の電気制御選択スイッチ４２を制御して主搬送波ポート３１を第１のマルチバンドアンテナ１に接続し、且つ第２の電気制御選択スイッチ４３を制御して副搬送波ポート３２を第２のマルチバンドアンテナ２に接続し、第１のマルチバンドアンテナ１の信号品質が予め設定された品質条件を満たさない場合に、第１の電気制御選択スイッチ４２を制御して主搬送波ポート３１を第２のマルチバンドアンテナ２に接続し、且つ第２の電気制御選択スイッチ４３を制御して副搬送波ポート３２を第１のマルチバンドアンテナ１に接続するように構成される。
【００４５】
実施において、無線機送受信部３は、第１のマルチバンドアンテナ１の信号品質を検出することに用いることができ、コントローラ４１は、無線機送受信部３から第１のマルチバンドアンテナ１の信号品質を取得し、その後、予め格納された、予め設定された品質条件を取得し、且つ第１のマルチバンドアンテナ１の信号品質と予め設定された品質条件とを比較し、第１のマルチバンドアンテナ１の信号品質が予め設定された品質条件を満たす場合に、第１の電気制御選択スイッチ４２を制御して主搬送波ポート３１を第１のマルチバンドアンテナ１に接続することができ、且つ第２の電気制御選択スイッチ４３を制御して副搬送波ポート３２を第２のマルチバンドアンテナ２に接続することができる。コントローラ４１は、第１のマルチバンドアンテナ１の信号品質が予め設定された品質条件を満たさない場合に、第１の電気制御選択スイッチ４２を制御して主搬送波ポート３１を第２のマルチバンドアンテナ２に接続し、第２のマルチバンドアンテナ２にサポートされる使用帯域を主搬送波とし、且つ第２の電気制御選択スイッチ４３を制御して副搬送波ポート３２を第１のマルチバンドアンテナ１に接続し、第１のマルチバンドアンテナ１にサポートされる使用帯域を副搬送波とすることができ、このようにして、第１のマルチバンドアンテナ１の信号品質が予め設定された品質条件を満たさない場合に、コントローラ４１が主搬送波ポート３１を第２のマルチバンドアンテナ２に接続することにより、端末の通信品質を確保することができる。
【００４６】
または、切替制御回路４は、第１のマルチバンドアンテナ１の信号品質が予め設定された品質条件を満たさなく、且つ第２のマルチバンドアンテナ２の信号品質が予め設定された品質条件を満たす場合に、主搬送波ポート３１を第２のマルチバンドアンテナ２に接続し、且つ副搬送波ポート３２を第１のマルチバンドアンテナ１に接続するように構成される。
【００４７】
切替制御回路４は、さらに、第１のマルチバンドアンテナ１の信号品質が予め設定された品質条件を満たさなく、且つ第２のマルチバンドアンテナ２の信号品質も予め設定された品質条件を満たさない場合に、主搬送波ポート３１を第１のマルチバンドアンテナ１に接続し、且つ副搬送波ポート３２を第２のマルチバンドアンテナ２に接続するように構成される。
【００４８】
実施において、切替制御回路４は、第１のマルチバンドアンテナ１の現在の信号品質が予め設定された品質条件を満たさないことを確定した場合に、第２のマルチバンドアンテナ２の信号品質を取得し、第２のマルチバンドアンテナ２の信号品質と予め設定された品質条件とを比較することができ、第２のマルチバンドアンテナ２の現在の信号品質が予め設定された信号の品質条件を満たすことを確定した場合に、主搬送波ポート３１を第２のマルチバンドアンテナ２に接続して第２のマルチバンドアンテナ２にサポートされる使用帯域を主搬送波とし、且つ副搬送波ポート３２を第１のマルチバンドアンテナ１に接続して第１のマルチバンドアンテナ１にサポートされる使用帯域を副搬送波とすることができ、このようにして、端末での通信品質を確保することができる。
【００４９】
切替制御回路４は、第１のマルチバンドアンテナ１の現在の信号品質が予め設定された品質条件を満たさないことを確定した場合に、第２のマルチバンドアンテナ２の信号品質を取得し、第２のマルチバンドアンテナ２の信号品質と予め設定された品質条件とを比較することができ、第２のマルチバンドアンテナ２の現在の信号品質が予め設定された信号の品質条件を満たさないことを確定した場合に、主搬送波ポート３１を第１のマルチバンドアンテナ１に接続して第１のマルチバンドアンテナ１にサポートされる使用帯域を主搬送波とし、且つ副搬送波ポート３２を第２のマルチバンドアンテナ２に接続して第２のマルチバンドアンテナ２にサポートされる使用帯域を副搬送波とすることができ、このようにして、端末での通信品質を確保することができる。
【００５０】
または、コントローラ４１はベースバンドコントローラ４１であり得る。
【００５１】
または、図３に示すように、第２の電気制御選択スイッチと前記第１のマルチバンドアンテナとの接続線にインピーダンス調整回路４４が設置され、インピーダンス調整回路４４に複数の並列のインピーダンス調整分岐回路４４１が含まれ、インピーダンス調整回路４４の制御信号端４４２がベースバンドコントローラ４１に電気的に接続される。
【００５２】
実施において、切替制御回路４は、インピーダンス調整回路４４を更に含むことが可能である。インピーダンス調整回路４４は、第２の電気制御選択スイッチ４３と第１のマルチバンドアンテナ１との接続線に設置することができ、第１のマルチバンドアンテナ１の共振周波数をオフセットされる前の値に調整するために用いられる。インピーダンス調整回路４４は、複数の並列のインピーダンス調整分岐回路４４１（例えば、第１のインピーダンス調整分岐回路４４１、第２のインピーダンス調整分岐回路４４１等）を含むことが可能である。複数の並列のインピーダンス調整分岐回路４４１にそれぞれ制御スイッチを設置することができ、各制御スイッチが対応のインピーダンス調整分岐回路４４１を導通させるために用いられる（例えば、第１のインピーダンス調整分岐回路４４１に第１の制御スイッチが設置され、第１の制御スイッチが閉状態である場合に、第１のインピーダンス調整分岐回路４４１は導通状態になる）。抵抗制御回路には、さらに、ベースバンドコントローラ４１に電気的に接続するための制御信号端４４２が設置される。
【００５３】
または、コントローラ４１は、さらに、第１のマルチバンドアンテナ１の信号品質が予め設定された品質条件を満たさなかった後、無線機送受信部３により検出された現在使用されている副搬送波の共振周波数オフセット量を取得し、予め格納された共振周波数オフセット量とインピーダンス調整分岐回路４４１との対応関係によって、現在使用されている副搬送波の共振周波数オフセット量が対応する第１のインピーダンス調整分岐回路４４１を決定し、インピーダンス調整回路４４を制御して第１のインピーダンス調整分岐回路４４１を導通させ、且つ第１のインピーダンス調整分岐回路４４１以外の他のインピーダンス調整分岐回路４４１を遮断するように構成される。
【００５４】
実施において、技術者が共振周波数オフセット量とインピーダンス調整分岐回路４４１の番号との対応関係を端末に予め格納することが可能であり、第１のマルチバンドアンテナ１の信号品質が予め設定された品質条件を満たさなく、且つコントローラ４１が、第１の電気制御選択スイッチ４２を制御して主搬送波ポート３１を第２のマルチバンドアンテナ２に接続し、第２の電気制御選択スイッチ４３が、副搬送波ポート３２を第１のマルチバンドアンテナ１に接続した後、コントローラ４１は、現在使用されている副搬送波の帯域を取得し、その後、無線機送受信部３へ共振周波数オフセット量の取得要求を送信することができる。無線機送受信部３は、当該取得要求を受信した後、第１のマルチバンドアンテナ１の現在の共振周波数オフセット量を決定することができ、その後、当該共振周波数オフセット量をコントローラ４１に送信する。コントローラ４１は、当該共振周波数オフセット量を受信した後、予め格納された共振周波数オフセット量とインピーダンス調整分岐回路４４１の番号との対応関係を取得することができ、取得された共振周波数オフセット量によって、共振周波数オフセット量の対応するインピーダンス調整分岐回路４４１が第１のインピーダンス調整分岐回路４４１であることを検索した後、インピーダンス調整回路４４へ、第１のインピーダンス調整分岐回路４４１の番号が含まれる制御命令を送信する。インピーダンス調整回路４４は、当該制御命令を受信した後、取得された第１のインピーダンス調整分岐回路４４１の番号を解析し、その後、第１のインピーダンス調整分岐回路４４１を導通させ、且つインピーダンス調整回路４４における第１のインピーダンス調整分岐回路４４１以外の他のインピーダンス調整分岐回路４４１を遮断することができる。このようにして、第１のインピーダンス調整分岐回路４４１は、第１のマルチバンドアンテナ１の共振周波数を、オフセットされる前の値に調整することができる。端末で現在使用されている主搬送波及び副搬送波が、帯域外キャリア・アグリゲーション（Ｃａｒｒｉｅｒ  Ａｇｇｒｅｇａｔｉｏｎ）を実現することができ、これにより、端末でのデータ伝送効率を向上させることができる。
【００５５】
または、第１のマルチバンドアンテナ１の信号品質が予め設定された品質条件を満たさなかった後、無線機送受信部３は、第１のマルチバンドアンテナ１の共振周波数オフセットを検出した場合、コントローラ４１へ共振周波数オフセットの通知を発信することができ、当該通知において第１のマルチバンドアンテナ１の現在の共振周波数オフセット量が含まれる。コントローラ４１は、当該共振周波数オフセット量を受信した後、予め格納された共振周波数オフセット量とインピーダンス調整分岐回路４４１の番号との対応関係を取得することができ、取得された共振周波数オフセット量によって、共振周波数オフセット量の対応するインピーダンス調整分岐回路４４１が第１のインピーダンス調整分岐回路４４１であることを検索した後、インピーダンス調整回路４４へ、第１のインピーダンス調整分岐回路４４１の番号が含まれる制御命令を送信する。インピーダンス調整回路４４は、当該制御命令を受信した後、取得された第１のインピーダンス調整分岐回路４４１の番号を解析し、その後、第１のインピーダンス調整分岐回路４４１を導通させることができ、且つインピーダンス調整回路４４における第１のインピーダンス調整分岐回路４４１以外の他のインピーダンス調整分岐回路４４１を遮断することができ、このようにして、第１のインピーダンス調整分岐回路４４１は、第１のマルチバンドアンテナ１の共振周波数を、オフセットされる前の値に調整することができ、端末で現在使用されている主搬送波及び副搬送波が、帯域外キャリア・アグリゲーション（Ｃａｒｒｉｅｒ  Ａｇｇｒｅｇａｔｉｏｎ）を実現することができ、これにより、端末でのデータ伝送効率を向上させることができる。
【００５６】
本発明の実施例において、端末は、第１のマルチバンドアンテナと、第２のマルチバンドアンテナと、無線機送受信部と、切替制御回路とを含み、ここで、無線機送受信部は、主搬送波ポート及び副搬送波ポートを含み、切替制御回路は、主搬送波ポート、副搬送波ポート、第１のマルチバンドアンテナ、第２のマルチバンドアンテナにそれぞれ電気的に接続される。切替制御回路は、第１のマルチバンドアンテナの信号品質が予め設定された品質条件を満たす場合に、主搬送波ポートを第１のマルチバンドアンテナに接続し、且つ副搬送波ポートを第２のマルチバンドアンテナに接続し、第１のマルチバンドアンテナの信号品質が予め設定された品質条件を満たさない場合に、主搬送波ポートを第２のマルチバンドアンテナに接続し、且つ副搬送波ポートを第１のマルチバンドアンテナに接続するように構成される。このようにして、第１のマルチバンドアンテナの信号品質が良い場合に、第１のマルチバンドアンテナを主搬送波アンテナとし、第１のマルチバンドアンテナの信号品質が悪い場合に、端末は、第２のマルチバンドアンテナを主搬送波アンテナとして通信を行うことができ、これにより、端末でのデータ伝送品質が受ける影響を低減することができる。
【００５７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【００５８】
本発明は、上記で記述され、図面で図示した精確の構成に限定されず、その範囲を逸脱しない範囲で、様々な修正や変更を行うことができる。本発明の範囲は、添付される特許請求の範囲のみにより限定される。
【図１】
0006393785.tif 000002
【図２】
0006393785.tif 000003
【図３】
0006393785.tif 000004